(57)【要約】【課題】  「０５０」で始まる電話番号の取得やＥＮＵＭシステムの使用を行うことなく、低コストで公衆電話網からＩＰ電話端末へと着信可能とするＩＰ電話システムを提供する。【解決手段】  ＩＰ−ＧＷ１は固定電話端末２から入力されたＤＴＭＦもしくはＤＰを解析し、着信先のＶｏＩＰ端末３のＩＰアドレスを解読し、そのＩＰアドレスを基にＩＰネットワーク２００を経由してＶｏＩＰ端末３との間でＣａｌｌセッションを確立する。ＩＰ−ＧＷ１は固定電話端末２からＶｏＩＰ端末３へのアナログ音声の符号化とそれに基づいたＶｏＩＰパケットの生成とを行い、そのＶｏＩＰパケットをＩＰネットワーク２００へと送出する。ＩＰ−ＧＷ１はＶｏＩＰ端末３から固定電話端末２へのＶｏＩＰパケットをアナログ音声データに復号化し、そのアナログ音声データを公衆固定電話網１００へと送出する。【選択図】      図１                                                  
2005150865.tif 000002
【特許請求の範囲】
【請求項１】
公衆電話網とＩＰ（Ｉｎｔｅｒｎｅｔ  Ｐｒｏｔｏｃｏｌ）網との境界点であるゲートウェイ装置を含み、前記公衆電話網に接続可能な固定電話端末と前記ＩＰ網に接続可能なＩＰ電話端末との間の通話を実現するＩＰ電話システムであって、
前記公衆電話網から入力される着信先のＩＰアドレスを解析する解析手段と、そのＩＰアドレスを基に前記ＩＰ電話端末との間でセッションを確立する通信手段とを前記ゲートウェイ装置に有することを特徴とするＩＰ電話システム。
【請求項２】
アナログ音声とＶｏＩＰ（Ｖｏｉｃｅ  ｏｖｅｒ  Ｉｎｔｅｒｎｅｔ  Ｐｒｏｔｏｃｏｌ）パケットとの相互変換を行う変換手段を前記ゲートウェイ装置に含むことを特徴とする請求項１記載のＩＰ電話システム。
【請求項３】
前記解析手段は、前記公衆電話網から少なくともＤＴＭＦ（Ｄｕａｌ  Ｔｏｎｅ  Ｍｕｌｔｉ  Ｆｒｅｑｕｅｎｃｙ）及びＤＰ（Ｄｉａｌ  Ｐｕｌｓｅ）のいずれかで入力されるＩＰアドレスを解析して前記着信先のＩＰアドレスを解読することを特徴とする請求項１または請求項２記載のＩＰ電話システム。
【請求項４】
公衆電話網とＩＰ（Ｉｎｔｅｒｎｅｔ  Ｐｒｏｔｏｃｏｌ）網との境界点に設けられ、前記公衆電話網に接続可能な固定電話端末と前記ＩＰ網に接続可能なＩＰ電話端末との間の通話を実現するゲートウェイ装置であって、
前記公衆電話網から入力される着信先のＩＰアドレスを解析する解析手段と、そのＩＰアドレスを基に前記ＩＰ電話端末との間でセッションを確立する通信手段とを有することを特徴とするゲートウェイ装置。
【請求項５】
アナログ音声とＶｏＩＰ（Ｖｏｉｃｅ  ｏｖｅｒ  Ｉｎｔｅｒｎｅｔ  Ｐｒｏｔｏｃｏｌ）パケットとの相互変換を行う変換手段を含むことを特徴とする請求項４記載のゲートウェイ装置。
【請求項６】
前記解析手段は、前記公衆電話網から少なくともＤＴＭＦ（Ｄｕａｌ  Ｔｏｎｅ  Ｍｕｌｔｉ  Ｆｒｅｑｕｅｎｃｙ）及びＤＰ（Ｄｉａｌ  Ｐｕｌｓｅ）のいずれかで入力されるＩＰアドレスを解析して前記着信先のＩＰアドレスを解読することを特徴とする請求項４または請求項５記載のゲートウェイ装置。
【請求項７】
公衆電話網とＩＰ（Ｉｎｔｅｒｎｅｔ  Ｐｒｏｔｏｃｏｌ）網との境界点であるゲートウェイ装置を含むシステムにおいて、前記公衆電話網に接続可能な固定電話端末から前記ＩＰ網に接続可能なＩＰ電話端末への着信を実現するＩＰ電話着信方法であって、前記ゲートウェイ装置側に、前記公衆電話網から入力される着信先のＩＰアドレスを解析するステップと、そのＩＰアドレスを基に前記ＩＰ電話端末との間でセッションを確立するステップとを有することを特徴とするＩＰ電話着信方法。
【請求項８】
前記ゲートウェイ装置側に、アナログ音声とＶｏＩＰ（Ｖｏｉｃｅ  ｏｖｅｒ  Ｉｎｔｅｒｎｅｔ  Ｐｒｏｔｏｃｏｌ）パケットとの相互変換を行うステップを含むことを特徴とする請求項７記載のＩＰ電話着信方法。
【請求項９】
前記着信先のＩＰアドレスを解析するステップは、前記公衆電話網から少なくともＤＴＭＦ（Ｄｕａｌ  Ｔｏｎｅ  Ｍｕｌｔｉ  Ｆｒｅｑｕｅｎｃｙ）及びＤＰ（Ｄｉａｌ  Ｐｕｌｓｅ）のいずれかで入力されるＩＰアドレスを解析して前記着信先のＩＰアドレスを解読することを特徴とする請求項７または請求項８記載のＩＰ電話着信方法。
【発明の詳細な説明】
【技術分野】
【０００１】
本発明はＩＰ電話システム、ゲートウェイ装置及びそれらに用いるＩＰ電話着信方法に関し、特に公衆電話網からＩＰ（Ｉｎｔｅｒｎｅｔ  Ｐｒｏｔｏｃｏｌ）電話端末への着信方法に関する。
【背景技術】
【０００２】
近年、パーソナルコンピュータが普及するとともに、ＡＤＳＬ（Ａｓｙｍｍｅｔｒｉｃ  Ｄｉｇｉｔａｌ  Ｓｕｂｓｃｒｉｂｅｒ  Ｌｉｎｅ）等のインタネットへの常時接続環境が整ってきたことから、ＩＰネットワークを使用したいわゆるＩＰ電話が普及し始めている（例えば、特許文献１，２参照）。
【０００３】
このＩＰ電話では、公衆電話網からＩＰ電話端末へ着信させる場合、通常、総務省の定めた「０５０」で始まる電話番号とＩＰアドレスとの対応を参照するためのＥＮＵＭ（Ｅ．１６４  ｔＥｌｅｐｈｏｎｅ  ＮＵｍｂｅｒ  Ｍａｐｐｉｎｇ）システムが使用されている。
【０００４】
【特許文献１】特開２０００−０２２８１４号公報
【特許文献２】特開２０００−３２４２４０号公報
【発明の開示】
【発明が解決しようとする課題】
【０００５】
しかしながら、従来のＩＰ電話システムでは、総務省から「０５０」で始まる電話番号を取得したり、上記のＥＮＵＭシステムを使用する際に、それ相応の事業者資格が必要であったり、使用料としてのコストが掛かるという問題がある。
【０００６】
そこで、本発明の目的は上記の問題点を解消し、「０５０」で始まる電話番号の取得やＥＮＵＭシステムの使用を行うことなく、低コストで公衆電話網からＩＰ電話端末へ着信させることができるＩＰ電話システム、ゲートウェイ装置及びそれらに用いるＩＰ電話着信方法を提供することにある。
【課題を解決するための手段】
【０００７】
本発明によるＩＰ電話システムは、公衆電話網とＩＰ（Ｉｎｔｅｒｎｅｔ  Ｐｒｏｔｏｃｏｌ）網との境界点であるゲートウェイ装置を含み、前記公衆電話網に接続可能な固定電話端末と前記ＩＰ網に接続可能なＩＰ電話端末との間の通話を実現するＩＰ電話システムであって、
前記公衆電話網から入力される着信先のＩＰアドレスを解析する解析手段と、そのＩＰアドレスを基に前記ＩＰ電話端末との間でセッションを確立する通信手段とを前記ゲートウェイ装置に備えている。
【０００８】
本発明によるゲートウェイ装置は、公衆電話網とＩＰ（Ｉｎｔｅｒｎｅｔ  Ｐｒｏｔｏｃｏｌ）網との境界点に設けられ、前記公衆電話網に接続可能な固定電話端末と前記ＩＰ網に接続可能なＩＰ電話端末との間の通話を実現するゲートウェイ装置であって、
前記公衆電話網から入力される着信先のＩＰアドレスを解析する解析手段と、そのＩＰアドレスを基に前記ＩＰ電話端末との間でセッションを確立する通信手段とを備えている。
【０００９】
本発明によるＩＰ電話着信方法は、公衆電話網とＩＰ（Ｉｎｔｅｒｎｅｔ  Ｐｒｏｔｏｃｏｌ）網との境界点であるゲートウェイ装置を含むシステムにおいて、前記公衆電話網に接続可能な固定電話端末から前記ＩＰ網に接続可能なＩＰ電話端末への着信を実現するＩＰ電話着信方法であって、前記ゲートウェイ装置側に、前記公衆電話網から入力される着信先のＩＰアドレスを解析するステップと、そのＩＰアドレスを基に前記ＩＰ電話端末との間でセッションを確立するステップとを備えている。
【００１０】
すなわち、本発明のＩＰ電話システムは、公衆電話網とＩＰ（Ｉｎｔｅｒｎｅｔ  Ｐｒｏｔｏｃｏｌ）網との境界点であるＩＰ−ＧＷ（Ｇａｔｅｗａｙ）（アクセスポイント）にて公衆電話網から入力される着信先のＩＰアドレスを解析し、そのＩＰアドレスを基にＩＰ−ＧＷとＩＰ電話端末との間でセッションを確立し、ＩＰ−ＧＷにてアナログ音声とＶｏＩＰ（Ｖｏｉｃｅ  ｏｖｅｒ  Ｉｎｔｅｒｎｅｔ  Ｐｒｏｔｏｃｏｌ）パケットとの相互変換を行うことで、「０５０」で始まる電話番号の取得やＥＮＵＭ（Ｅ．１６４  ｔＥｌｅｐｈｏｎｅ  ＮＵｍｂｅｒ  Ｍａｐｐｉｎｇ）システムの使用を行うことなく、公衆電話網からＩＰ電話端末へ着信させることが可能となる。
【００１１】
この場合、本発明のＩＰ電話システムでは、着信先のＩＰアドレスが分かっていれば、ＩＰアドレスを直接入力するだけで、ＩＰ電話端末への着信が可能となるため、コストダウンが実現可能となる。
【発明の効果】
【００１２】
本発明は、以下に述べるような構成及び動作とすることで、「０５０」で始まる電話番号の取得やＥＮＵＭシステムの使用を行うことなく、低コストで公衆電話網からＩＰ電話端末へ着信させることができるという効果が得られる。
【発明を実施するための最良の形態】
【００１３】
次に、本発明の実施例について図面を参照して説明する。図１は本発明の一実施例によるＩＰ（Ｉｎｔｅｒｎｅｔ  Ｐｒｏｔｏｃｏｌ）電話システムの構成を示すブロック図である。図１において、本発明の一実施例によるＩＰ電話システムはＩＰ−ＧＷ（Ｇａｔｅｗａｙ）（アクセスポイント）１と、固定電話端末２と、ＶｏＩＰ（Ｖｏｉｃｅ  ｏｖｅｒ  Ｉｎｔｅｒｎｅｔ  Ｐｒｏｔｏｃｏｌ）端末３と、公衆固定電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）１００と、ＩＰネットワーク２００とから構成されている。
【００１４】
ＩＰ−ＧＷ１は公衆固定電話網１００を介して固定電話端末２に接続可能となっており、ＩＰネットワーク２００を介してＶｏＩＰ端末３に接続可能となっている。
【００１５】
通常、ＩＰ電話システムにおいては、公衆固定電話網１００からＩＰネットワーク２００へ着信させる場合、固定電話端末２からＶｏＩＰ端末３へと着信させる際に、総務省の定めた「０５０」で始まる電話番号を取得し、その電話番号とＩＰアドレスとの対応付けをデータベース化したＥＮＵＭシステムを参照しなければ、単純なシステムで音声通信を行うことは難しい。
【００１６】
しかしながら、着信先であるＩＰアドレスが既に分かっている場合には、ＥＮＵＭ（Ｅ．１６４  ｔＥｌｅｐｈｏｎｅ  ＮＵｍｂｅｒ  Ｍａｐｐｉｎｇ）システムの参照や「０５０」で始まる電話番号を使用する必要がない。
【００１７】
そこで、本実施例では、公衆固定電話網１００からＩＰ−ＧＷ１に電話を掛けた際に、ＤＴＭＦ（Ｄｕａｌ  Ｔｏｎｅ  Ｍｕｌｔｉ  Ｆｒｅｑｕｅｎｃｙ）もしくはＤＰ（Ｄｉａｌ  Ｐｕｌｓｅ）を用いて、既知の着信先であるＩＰアドレスを入力することで、着信先が「０５０」で始まる電話番号を取得していなくても、またＩＰ−ＧＷ１にＥＮＵＭシステムを参照する仕組みがなくても、単純なシステムで公衆固定電話網１００とＩＰネットワーク２００とを介して、固定電話端末２とＶｏＩＰ端末３との間での音声通信を実現することができる。
【００１８】
図２は図１のＩＰ−ＧＷ１の構成を示すブロック図である。図２において、ＩＰ−ＧＷ１はＤＴＭＦ／ＤＰ解析機能１１と、音声データ・コーデック機能１２と、ＩＰ通信機能１３とを含んで構成されている。
【００１９】
ＤＴＭＦ／ＤＰ解析機能１１は公衆固定電話網１００から入力されるＤＴＭＦもしくはＤＰを解析して着信先のＩＰアドレスを解読する。音声データ・コーデック機能１２はアナログ音声の符号化及びＶｏＩＰパケットの生成と、ＶｏＩＰパケットからアナログ音声データへの復号化とを行う。ＩＰ通信機能１３はＩＰネットワーク２００との間でＣａｌｌ（呼）セッションの確立等、ＩＰ通信処理を行う。
【００２０】
図３は本発明の一実施例によるＶｏＩＰ端末３への着信処理を示すシーケンスチャートである。これら図１〜図３を参照して本発明の一実施例によるＶｏＩＰ端末３への着信処理について説明する。
【００２１】
まず、固定電話端末２は着信先のＶｏＩＰ端末３に電話を掛ける場合、公衆固定電話網１００を使用してＩＰ−ＧＷ１に発呼する（図３のａ１）。ここで、固定電話端末２のユーザは着信先のＶｏＩＰ端末３のＩＰアドレスを知っているものとする。
【００２２】
ＩＰ−ＧＷ１は固定電話端末２からの着呼に対して、着信先のＶｏＩＰ端末３のＩＰアドレスの入力を促すガイダンスを固定電話端末２に送出する（図３のａ２）。固定電話端末２はＩＰ−ＧＷ１からのガイダンスにしたがって、着信先であるＶｏＩＰ端末３のＩＰアドレスを１０進数でＤＴＭＦもしくはＤＰにて入力する（図３のａ３）。
【００２３】
ＩＰ−ＧＷ１はＤＴＭＦ／ＤＰ解析機能１１にて固定電話端末２から入力されたＤＴＭＦもしくはＤＰを解析し、着信先のＶｏＩＰ端末３のＩＰアドレスを解読する（図３のａ４）。ＩＰ−ＧＷ１は解読したＩＰアドレスを基に、ＩＰ通信機能１３にてＩＰネットワーク２００を経由してＶｏＩＰ端末３との間でＣａｌｌ（呼）セッションを確立する（図３のａ５）。
【００２４】
これによって、ＩＰ−ＧＷ１と固定電話端末２との間が公衆固定電話網１００によって接続され、ＩＰ−ＧＷ１とＶｏＩＰ端末３との間がＩＰネットワーク２００によって接続される。
【００２５】
その後、ＩＰ−ＧＷ１は固定電話端末２からＶｏＩＰ端末３へのアナログ音声が公衆固定電話網２００から入力されると（図３のａ６）、音声データ・コーデック機能１２にてそのアナログ音声の符号化と、それに基づいたＶｏＩＰパケットの生成とを行い（図３のａ７）、そのＶｏＩＰパケットをＩＰ通信機能１３からＩＰネットワーク２００へと送出する（図３のａ８）。
【００２６】
また、ＩＰ−ＧＷ１はＶｏＩＰ端末３から固定電話端末２へのＶｏＩＰパケットが入力されると（図３のａ９）、音声データ・コーデック機能１２にてそのＶｏＩＰパケットをアナログ音声データに復号化し（図３のａ１０）、そのアナログ音声データを公衆固定電話網１００へと送出する（図３のａ１１）。
【００２７】
このように、本実施例では、公衆固定電話網１００とＩＰネットワーク２００との境界点であるＩＰ−ＧＷ１にて公衆固定電話網１００から入力される着信先のＩＰアドレスを解析し、そのＩＰアドレスを基にＩＰ−ＧＷ１とＩＰ電話端末３との間でセッションを確立し、ＩＰ−ＧＷ１にてアナログ音声とＶｏＩＰパケットとの相互変換を行うことで、「０５０」で始まる電話番号とＥＮＵＭシステムの使用（参照）とが不要となるため、サービスを提供する上でコスト的に非常に有利となる。
【００２８】
よって、本実施例では、「０５０」で始まる電話番号の取得やＥＮＵＭシステムの使用を行うことなく、低コストで公衆固定電話網１００からＶｏＩＰ端末３へ着信させることができる。
【産業上の利用可能性】
【００２９】
本発明は、固定電話のみならず、携帯電話やＰＨＳ（Ｐｅｒｓｏｎａｌ  Ｈａｎｄｙｐｈｏｎｅ  Ｓｙｓｔｅｍ）等についても、公衆固定電話網を経由させることで、ＶｏＩＰ端末への着信を容易に行わせることが可能である。
【図面の簡単な説明】
【００３０】
【図１】本発明の一実施例によるＩＰ電話システムの構成を示すブロック図である。
【図２】図１のＩＰ−ＧＷの構成を示すブロック図である。
【図３】本発明の一実施例によるＶｏＩＰ端末への着信処理を示すシーケンスチャートである。
【符号の説明】
【００３１】
１  ＩＰ−ＧＷ
２  固定電話端末３と、
３  ＶｏＩＰ端末
１１  ＤＴＭＦ／ＤＰ解析機能
１２  音声データ・コーデック機能
１３  ＩＰ通信機能
１００  公衆固定電話網
２００  ＩＰネットワーク
【図１】
2005150865.tif 000003
【図２】
2005150865.tif 000004
【図３】
2005150865.tif 000005